(57)【要約】      （修正有）【課題】書類の収納が容易になり、バインダー等に挟んで使用する場合でも書類の脱落を防止することができる書類ホルダーを提供する。【解決手段】２枚重ねのシートの間に書類を挟み込むタイプの書類ホルダーを設ける。シートの片方の縦側辺Ｓ１と下側片Ｓ２とを閉じた状態にする。他方の縦側辺Ｓ３と上側片Ｓ４とを開放辺とする。開放辺となる縦側辺Ｓ３の中央部に至る保持部１を形成する。保持部１の上端に近接する開放辺に切欠２を設ける。保持部１は、縦側辺Ｓ３の下端部から縦側辺Ｓ３の中央部以上に設ける。保持部１は、縦側辺Ｓ３の上端部までの３／４以下に設ける。閉じられた縦側辺Ｓ１に複数の連結孔３を設ける。【選択図】図２
0003185886.tif 000002
【実用新案登録請求の範囲】
【請求項１】
２枚重ねのシートの間に書類を挟み込むタイプの書類ホルダーにおいて、シートの片方の縦側辺と下側片とを閉じた状態にすると共に、他方の縦側辺と上側片とを開放辺とし、開放辺となる縦側辺の下端部から少なくとも該縦側辺の中央部に至る開放部分を溶着して保持部を形成し、該保持部の上端に近接する開放辺に切欠を設けたことを特徴とする書類ホルダー。
【請求項２】
前記保持部は、開放辺となる前記縦側辺の下端部から上端部までの長さの１/２以上で、且つ、該縦側辺の下端部から上端部までの長さの３/４以下の範囲内に形成された請求項１記載の書類ホルダー。
【請求項３】
前記書類ホルダーは、閉じられた前記縦側辺に複数の連結孔が設けられ、綴じ具に加除するように構成された請求項１又は請求項２記載の書類ホルダー。
【考案の詳細な説明】
【技術分野】
【０００１】
本考案は、２枚重ねのシートの間に書類を挟み込むタイプの書類ホルダーに係り、書類の収納が容易で脱落を防止する書類ホルダーに関する。
【背景技術】
【０００２】
合成樹脂製のシートで形成された書類ホルダーとして、２枚重ねのシートの間に書類を挟み込むタイプの書類ホルダーが提供されている。このタイプの書類ホルダーには、バインダー等の綴じ具に自由に加除するクリアホルダリフィルと称する書類ホルダーや、一時的な分類や整理などのために主に単独で使用されるクリアファイルと称する書類ホルダーなどがある。
【０００３】
クリアホルダリフィルは、上側辺が開放した袋状で、一方の縦側辺に複数の連結孔を設けており、バインダーやクリアポケットファイルの連結リングにこの連結孔を連結し、複数枚綴じて使用する書類ホルダーである。
【０００４】
一方、クリアファイルは、バインダー等の綴じ具を要せず、２枚重ねのシートの片方の縦側辺と下側片とを閉じた状態とし、他方の縦側辺と上側片とを開放辺とし、この開放辺から書類を挟み込むように構成した書類ホルダーである。
【０００５】
特許文献１に記載の書類ホルダーは、クリアファイルを改良したもので、開口部分の側縁相互に食い違い部分を形成し、開口部分の側縁が相互に重ならないように構成している。この食い違い部分により、書類の挟み込み作業を容易にしたものである。
【０００６】
特許文献２のファイリング用具には、クリアファイルをファイリング用具に綴じるように構成した書類ホルダーが記載されている。この書類ホルダーにおいて、クリアファイルの両側の縦側辺に綴穴（連結孔）を形成し、この綴穴を選択使用して綴じ具に加除できるように構成したものが記載されている。
【０００７】
このように、２枚重ねのシートの間に書類を挟み込むタイプの書類ホルダーには、各種の形態がある。本考案では、これらクリアポケットファイル及びクリアファイルなど、２枚重ねのシートの間に書類を挟み込むタイプのファイルを総称し、以下、書類ホルダーと称するものである。
【先行技術文献】
【特許文献】
【０００８】
【特許文献１】実開昭６３‐２５５７９号公報
【特許文献２】特許第４６９５２０９号公報
【考案の概要】
【考案が解決しようとする課題】
【０００９】
従来のクリアホルダリフィルと称する書類ホルダーは、上側辺が開放した袋状を成しているので、書類を収納した後は確実に保持した状態を保つことができる。クリアポケットファイルの天地を逆向きにしない限り書類が脱落することはない。しかしながら、書類を収納する際に開放辺が上側辺のみに限定されているので、収納時に手間取る不都合がある。
【００１０】
一方、従来のクリアファイルと称する書類ホルダーは、上側辺から縦側辺に至る大きな開放辺から書類を挟み込むように構成した構成であるので、書類の収納は極めて容易であるが、その反面、挟み込んだ書類が開放辺から脱落し易い構成になっている。
【００１１】
また、特許文献１の書類ホルダーは、開放辺となる縦側辺の下部を一部溶着することで、書類の脱落を防止するように構成しているが、この書類ホルダーをバインダー等に挟んで複数使用する場合、書類ホルダーをめくる勢いで開放辺から書類が飛び出るおそれがあった。したがって、特許文献１の書類ホルダーの構成では、バインダー等に加除して使用することは適当ではなかった。
【００１２】
そこで本考案は、上述の課題を解消すべく案出されたもので、２枚重ねのシートの間に書類を挟み込むタイプの書類ホルダーにおいて、書類の収納が容易になり、しかも、バインダー等に挟んで使用する場合でも書類の脱落を防止することができる書類ホルダーの提供を目的とするものである。
【課題を解決するための手段】
【００１３】
上述の目的を達成すべく本考案における第１の手段は、２枚重ねのシートＳの間に書類を挟み込むタイプの書類ホルダーにおいて、シートＳの片方の縦側辺Ｓ１と下側片Ｓ２とを閉じた状態にすると共に、他方の縦側辺Ｓ３と上側片Ｓ４とを開放辺とし、開放辺となる縦側辺Ｓ３の下端部から少なくとも該縦側辺Ｓ３の中央部に至る開放部分を溶着して保持部１を形成し、該保持部１の上端に近接する開放辺に切欠２を設けたことにある。
【００１４】
第２の手段において、前記保持部１は、開放辺となる前記縦側辺Ｓ３の下端部から上端部までの長さの１/２以上で、且つ、該縦側辺Ｓ３の下端部から上端部までの長さの３/４以下の範囲内に形成されたものである。
【００１５】
第３の手段の書類ホルダーによると、閉じられた前記縦側辺Ｓ１に複数の連結孔３が設けられ、綴じ具に加除するように構成された書類ホルダーとするものである。
【考案の効果】
【００１６】
本考案の請求項１によると、２枚重ねのシートＳの片方の縦側辺Ｓ１と下側片Ｓ２とを閉じた状態にすると共に、他方の縦側辺Ｓ３と上側片Ｓ４とを開放辺とし、開放辺となる縦側辺Ｓ３の下端部から少なくとも該縦側辺Ｓ３の中央部に至る開放部分を溶着して保持部１を形成し、該保持部１の上端に近接する開放辺に切欠２を設けたことにより、クリアホルダリフィルと称する書類ホルダーや、クリアファイルと称する書類ホルダーとして使用する場合でも、書類の収納が容易になり、しかも、収納した書類の脱落を防止することができるものである。
【００１７】
請求項２によると、保持部１は、開放辺となる前記縦側辺Ｓ３の下端部から該縦側辺Ｓ３の中央部以上で、且つ、該縦側辺Ｓ３の下端部から該縦側辺Ｓ３の上端部までの長さの３/４以下の範囲内に形成されたことで、保持部１をこの範囲内に形成することで、シートＳのサイズや厚み等が異なった場合でも、収納作業の容易性や収納した書類の脱落防止効果を得ることができる。この結果、本考案書類ホルダーをバインダー等に綴じて使用した場合でも、書類ホルダーをめくる勢いで開放辺から書類が飛び出すようなことは確実に防止できる。
【００１８】
また、上側片Ｓ４と縦側辺Ｓ３の一部が開放辺となるので、書類の差し込み作業が極めて容易になり、上側片Ｓ４のみが開放した従来の書類ホルダーに比べて書類の収納が極めて容易になる。
【００１９】
請求項３によると、閉じられた前記縦側辺Ｓ１に複数の連結孔３が設けられ、綴じ具に加除するように構成したことにより、バインダーやクリアポケットファイルの綴じ具に綴じて使用することが可能になるものである。
【図面の簡単な説明】
【００２０】
【図１】本考案の一実施例を示す斜視図である。
【図２】本考案の一実施例を示す正面図である。
【図３】本考案の他の実施例を示す正面図である。
【考案を実施するための形態】
【００２１】
本考案によると、２枚重ねのシートの間に書類を挟み込むタイプの書類ホルダーにおいて、書類の収納が容易になり、しかも、バインダー等に挟んで使用する場合でも書類の脱落を防止することができるなどといった当初の目的を達成した。
【００２２】
以下、本考案の実施例を説明する。本考案書類ホルダーは、２枚重ねのシートＳの間に書類を挟み込むタイプの書類ホルダーである。すなわち、クリアポケットファイル及びクリアファイルなどと称する２枚重ねのシートの間に書類を挟み込む書類ホルダーである。
【００２３】
すなわち、シートＳの片方の縦側辺Ｓ１と下側片Ｓ２とを閉じた状態にすると共に、他方の縦側辺Ｓ３と上側片Ｓ４とを開放辺としたものである（図１参照）。更に、開放辺となる縦側辺Ｓ３の下端部から少なくとも該縦側辺Ｓ３の中央部に至る開放部分を溶着して保持部１を形成する。
【００２４】
このように、縦側辺Ｓ３の少なくとも中央部に至るまで開放部分を溶着すると、収納した書類の下半分は保持部１に保持されるので、クリアホルダリフィルと称する書類ホルダーや（図２参照）、クリアファイルと称する書類ホルダーとして使用する場合（図３参照）でも、書類の収納が容易になり、しかも、収納した書類の脱落を防止することができる。
【００２５】
図示例の保持部１は、開放辺となる縦側辺Ｓ３の長さの１/２以上で、且つ、該縦側辺Ｓ３の長さの３/４以下の範囲内に形成している（図２参照）。実験によると、保持部１の上端が縦側辺Ｓ３の長さの３/４を越えるほど、開放辺が少なくなり、書類を差し込み難くなって行く。また、保持部１の上端が縦側辺Ｓ３の１/２以下になると、バインダー等に綴じて使用した場合、書類ホルダーをめくる勢いで開放辺から書類が飛び出し易くなる。この結果、保持部１をこの範囲に形成することで、シートＳのサイズや厚み等が異なった場合でも、収納作業の容易性や収納した書類の脱落防止効果を得ることができる。
【００２６】
そして、保持部１の上端に近接する開放辺に切欠２を設ける（図１参照）。この切欠２は、保持部１の端部が剥がれたり破れたりする破損を防止するものである。
【００２７】
図１及び図２に示す書類ホルダーは、閉じられた縦側辺Ｓ１に複数の連結孔３を設けたものである。このような書類ホルダーは、クリアホルダリフィルとして、バインダーやクリアポケットファイル等の綴じ具に綴じて使用することが可能になる。
【００２８】
図示例の連結孔３は、大小異なった連結孔３を多数個連設しているが、この連結孔３は、２個でもよく、綴じ具の綴じ金具に対応した連結孔３を設けるものである。また、連結孔３を使用せず、シートＳの縦側辺Ｓ１を予め綴じ具に固定して使用することも可能である。
【００２９】
尚、本考案の各構成は図示例に限られるものではなく、本考案の要旨を変更しない範囲での設計変更は自由である。
【符号の説明】
【００３０】
Ｓ  シート
Ｓ１  縦側辺
Ｓ２  下側片
Ｓ３  縦側辺
Ｓ４  上側片
１  保持部
２  切欠
３  連結孔
【図１】
0003185886.tif 000003
【図２】
0003185886.tif 000004
【図３】
0003185886.tif 000005